【手続補正書】
【提出日】平成20年3月27日(2008.3.27)
【手続補正１】
【補正対象書類名】明細書
【補正対象項目名】発明の名称
【補正方法】変更
【補正の内容】
【発明の名称】携帯型情報端末、その制御方法およびプログラム
【手続補正２】
【補正対象書類名】明細書
【補正対象項目名】特許請求の範囲
【補正方法】変更
【補正の内容】
【特許請求の範囲】
【請求項１】  自端末にデータを入力する入力手段と、
予め複数の位置を各々示す複数の位置情報と、前記複数の位置情報とは異なる複数のデータであって、前記入力手段により入力されたデータとを記憶する記憶手段と、
前記記憶手段に予め記憶された複数の位置情報の中から１の位置情報を選択するように促す通知を行う位置情報選択要求手段と、
前記記憶手段に予め記憶された複数のデータの中から１のデータを選択するように促す通知を行うデータ選択要求手段と、
位置情報を受信する受信手段と、
前記データ選択要求手段の通知に応じてユーザにより選択された１のデータを、前記位置情報選択要求手段の通知に応じてユーザにより選択された１の位置情報と対応付けて前記記憶手段に格納するとともに、前記受信手段によって直前に受信された位置情報と異なる位置情報が新たに受信されたとき、前記記憶手段に記憶されている前記データの中から当該新たに受信された位置情報に対応付けて記憶されているデータを抽出するデータ処理手段と、
前記データ処理手段により抽出されたデータに対応する情報をユーザに通知する情報通知手段と
を備えることを特徴とする携帯型情報端末。
【請求項２】  前記入力手段は、収集した音声を音声データとして自端末に入力するマイク、撮影した画像を画像データとして自端末に入力するカメラ、又は、ユーザにより入力された文字を文字データとして自端末に入力する文字データ入力手段である
ことを特徴とする請求項１記載の携帯型情報端末。
【請求項３】  予め複数の位置を各々示す複数の位置情報と、携帯型情報端末が備える入力手段により当該携帯型情報端末に入力され、前記複数の位置情報とは異なる複数のデータとを記憶手段に記憶する過程と、
前記記憶手段に予め記憶された複数の位置情報の中から１の位置情報を選択するように促す通知を行う位置情報選択要求過程と、
前記記憶手段に予め記憶された複数のデータの中から１のデータを選択するように促す通知を行うデータ選択要求過程と、
位置情報を受信する受信過程と、
前記データ選択要求過程における通知に応じてユーザにより選択された１のデータを、前記位置情報選択要求過程における通知に応じてユーザにより選択された１の位置情報と対応付けて前記記憶手段に格納するとともに、前記受信過程において直前に受信された位置情報と異なる位置情報が新たに受信されたとき、前記記憶手段に記憶されている前記データの中から当該新たに受信された位置情報に対応付けて記憶されているデータを抽出するデータ処理過程と、
前記データ処理過程において抽出されたデータに対応する情報をユーザに通知する情報通知過程と
を備えることを特徴とする携帯型情報端末の制御方法。
【請求項４】  予め複数の位置を各々示す複数の位置情報と、携帯型情報端末が備える入力手段により当該携帯型情報端末に入力され、前記複数の位置情報とは異なる複数のデータとを記憶する記憶手段を備えるコンピュータに、
前記記憶手段に予め記憶された複数の位置情報の中から１の位置情報を選択するように促す通知を行う処理と、
前記記憶手段に予め記憶された複数のデータの中から１のデータを選択するように促す通知を行う処理と、
位置情報を受信する処理と、
前記データを選択するように促す通知に応じてユーザにより選択された１のデータを、前記位置情報を選択するように促す通知に応じてユーザにより選択された１の位置情報と対応付けて前記記憶手段に格納するとともに、直前に受信した位置情報と異なる位置情報を新たに受信したとき、前記記憶手段に記憶されている前記データの中から当該新たに受信した位置情報に対応付けて記憶されているデータを抽出する処理と、
抽出したデータに対応する情報をユーザに通知する処理と
を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、携帯型情報端末、その制御方法およびプログラムに係り、特に、位置情報を受信可能な携帯型情報端末の技術に関する。
【手続補正４】
【補正対象書類名】明細書
【補正対象項目名】０００５
【補正方法】変更
【補正の内容】
【０００５】
【課題を解決するための手段】
上述した課題を解決するために、本発明に係る携帯型情報端末は、自端末にデータを入力する入力手段と、予め複数の位置を各々示す複数の位置情報と、前記複数の位置情報とは異なる複数のデータであって、前記入力手段により入力されたデータとを記憶する記憶手段と、前記記憶手段に予め記憶された複数の位置情報の中から１の位置情報を選択するように促す通知を行う位置情報選択要求手段と、前記記憶手段に予め記憶された複数のデータの中から１のデータを選択するように促す通知を行うデータ選択要求手段と、位置情報を受信する受信手段と、前記データ選択要求手段の通知に応じてユーザにより選択された１のデータを、前記位置情報選択要求手段の通知に応じてユーザにより選択された１の位置情報と対応付けて前記記憶手段に格納するとともに、前記受信手段によって直前に受信された位置情報と異なる位置情報が新たに受信されたとき、前記記憶手段に記憶されている前記データの中から当該新たに受信された位置情報に対応付けて記憶されているデータを抽出するデータ処理手段と、前記データ処理手段により抽出されたデータに対応する情報をユーザに通知する情報通知手段とを備えることを特徴としている。
この構成によると、選択された位置情報と各種のデータとが関連づけられて記憶されるため、上記各種のデータに対して任意の位置情報を関連して記憶させることが可能になる。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
また、本発明に係る携帯型情報端末の制御方法は、予め複数の位置を各々示す複数の位置情報と、携帯型情報端末が備える入力手段により当該携帯型情報端末に入力され、前記複数の位置情報とは異なる複数のデータとを記憶手段に記憶する過程と、前記記憶手段に予め記憶された複数の位置情報の中から１の位置情報を選択するように促す通知を行う位置情報選択要求過程と、前記記憶手段に予め記憶された複数のデータの中から１のデータを選択するように促す通知を行うデータ選択要求過程と、位置情報を受信する受信過程と、前記データ選択要求過程における通知に応じてユーザにより選択された１のデータを、前記位置情報選択要求過程における通知に応じてユーザにより選択された１の位置情報と対応付けて前記記憶手段に格納するとともに、前記受信過程において直前に受信された位置情報と異なる位置情報が新たに受信されたとき、前記記憶手段に記憶されている前記データの中から当該新たに受信された位置情報に対応付けて記憶されているデータを抽出するデータ処理過程と、前記データ処理過程において抽出されたデータに対応する情報をユーザに通知する情報通知過程とを備えることを特徴としている。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
また、本発明に係る携帯型情報端末のプログラムは、予め複数の位置を各々示す複数の位置情報と、携帯型情報端末が備える入力手段により当該携帯型情報端末に入力され、前記複数の位置情報とは異なる複数のデータとを記憶する記憶手段を備えるコンピュータに、
前記記憶手段に予め記憶された複数の位置情報の中から１の位置情報を選択するように促す通知を行う処理と、前記記憶手段に予め記憶された複数のデータの中から１のデータを選択するように促す通知を行う処理と、位置情報を受信する処理と、前記データを選択するように促す通知に応じてユーザにより選択された１のデータを、前記位置情報を選択するように促す通知に応じてユーザにより選択された１の位置情報と対応付けて前記記憶手段に格納するとともに、直前に受信した位置情報と異なる位置情報を新たに受信したとき、前記記憶手段に記憶されている前記データの中から当該新たに受信した位置情報に対応付けて記憶されているデータを抽出する処理と、抽出したデータに対応する情報をユーザに通知する処理とを実行させることを特徴としている。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】